(57)【特許請求の範囲】
【請求項１】
立体映像を表示する表示素子と、
前記表示素子に同期して左目シャッターと右目シャッターが交互にオン/オフされるシャッターメガネと、
前記表示素子に光を照射して周期的に点灯及び消灯されるバックライトユニットと、
第１フレーム期間を第１アドレス期間と第１バーチカルブランク期間に分割して、前記第１フレーム期間に連続する第２フレーム期間を第２アドレス期間と第２バーチカルブランク期間に分割し、前記表示素子の液晶の応答特性で立ち下がり時間が立ち上がり時間に比べて長ければ、前記第２バーチカルブランク期間を前記第１バーチカルブランク期間より長く制御し、または前記立ち上がり時間が前記立ち下がり時間に比べて長ければ、前記第１バーチカルブランク期間を前記第２バーチカルブランク期間より長く制御する制御部と、
前記制御部の制御の下に前記第１及び第２アドレス期間にデータを前記表示素子に供給する駆動回路と
を備える立体映像表示装置。
【請求項２】
前記駆動回路は、
前記第１アドレス期間に左目映像データと右目映像データの内のいずれか一つを前記表示素子に供給した後、前記第２アドレス期間にブラックデータを前記表示素子に供給することを特徴とする、請求項１記載の立体映像表示装置。
【請求項３】
前記駆動回路は、
前記第１アドレス期間にハイガンマ特性の左目映像データとハイガンマ特性の右目映像データの内のいずれか一つを前記表示素子に供給した後、前記第２アドレス期間にローガンマ特性の左目映像データとローガンマ特性の右目映像データの内のいずれか一つを前記表示素子に供給する
ことを特徴とする、請求項１記載の立体映像表示装置。
【請求項４】
前記駆動回路は、
前記第１バーチカルブランク期間が前記第２バーチカルブランク期間より長く制御される場合、前記第１アドレス期間に第１左目映像データを前記表示素子に供給した後、前記第２アドレス期間に第２左目映像データを前記表示素子に供給する
ことを特徴とする、請求項１記載の立体映像表示装置。
【請求項５】
前記駆動回路は、
前記第１バーチカルブランク期間が前記第２バーチカルブランク期間より長く制御される場合、前記第１アドレス期間に第１右目映像データを前記表示素子に供給した後、前記第２アドレス期間に第２右目映像データを前記表示素子に供給する
ことを特徴とする、請求項１記載の立体映像表示装置。
【請求項６】
第１フレーム期間を第１アドレス期間と第１バーチカルブランク期間に分割すると共に、前記第１フレーム期間に連続する第２フレーム期間を第２アドレス期間と第２バーチカルブランク期間に分割し、前記表示素子の液晶の応答特性で立ち下がり時間が立ち上がり時間に比べて長ければ、前記第２バーチカルブランク期間を前記第１バーチカルブランク期間より長く制御し、または前記立ち上がり時間が前記立ち下がり時間に比べて長ければ、前記第１バーチカルブランク期間を前記第２バーチカルブランク期間より長く制御する段階と、
前記第１及び第２アドレス期間にデータを前記表示素子に供給する段階と、
前記表示素子に同期してシャッターメガネの左目シャッターと右目シャッターを交互にオン/オフさせる段階と、
前記表示素子に光を照射するためのバックライトユニットを周期的に点灯及び消灯させる段階を含むことを特徴とする立体映像表示装置の駆動方法。
【請求項７】
前記第１及び第２アドレス期間にデータを表示素子に供給する段階は、
前記第１アドレス期間に左目映像データと右目映像データの内のいずれか一つを前記表示素子に供給する段階と、
前記第２アドレス期間にブラックデータを前記表示素子に供給する段階を含む
ことを特徴とする、請求項６記載の立体映像表示装置の駆動方法。
【請求項８】
前記第１及び第２アドレス期間にデータを表示素子に供給する段階は、
前記第１アドレス期間にハイガンマ特性の左目映像データとハイガンマ特性の右目映像データの内のいずれか一つを前記表示素子に供給する段階と、
前記第２アドレス期間にローガンマ特性の左目映像データとローガンマ特性の右目映像データの内のいずれか一つを前記表示素子に供給する段階を含む
ことを特徴とする、請求項６記載の立体映像表示装置の駆動方法。
【請求項９】
前記第１及び第２アドレス期間にデータを表示素子に供給する段階は、
前記第１バーチカルブランク期間が前記第２バーチカルブランク期間より長く制御される場合、前記第１アドレス期間に第１左目映像データを前記表示素子に供給する段階と、
前記第２アドレス期間に第２左目映像データを前記表示素子に供給する段階を含む
ことを特徴とする、請求項６記載の立体映像表示装置の駆動方法。
【請求項１０】
前記第１及び第２アドレス期間にデータを表示素子に供給する段階は、
前記第１バーチカルブランク期間が前記第２バーチカルブランク期間より長く制御される場合、前記第１アドレス期間に第１右目映像データを前記表示素子に供給する段階と、
前記第２アドレス期間に第２右目映像データを前記表示素子に供給する段階をさらに含む
ことを特徴とする、請求項６記載の立体映像表示装置の駆動方法。
【発明の詳細な説明】
【技術分野】
【０００１】
本発明は、立体映像表示装置とその駆動方法に関する。
【背景技術】
【０００２】
立体映像表示装置は、両眼視差方式（stereoscopic technique）と複合視差知覚方式（autostereoscopic technique）に分けられる。
【０００３】
両眼視差方式は、立体効果が大きい左右の目の視差映像を利用するものであって、眼鏡方式と無眼鏡方式があり、二つの方式とも実用化されている。眼鏡方式は直視型表示素子やプロジェクターに左右視差映像の偏光方向を変えてまたは時分割方式で表示して、偏光眼鏡または液晶シャッターメガネを使って立体映像を具現する。無眼鏡方式は一般的にパララックスバリヤ、レンチキュラーレンズなどの光学板を利用して左右視差映像の光軸を分離して立体映像を具現する。
【０００４】
眼鏡方式の立体映像表示装置の一例としては、米国特許第５、８２１、９８９号明細書、米国特許出願公開第２００７／０２２９３９５号明細書等が知られている。
【０００５】
図１及び図２は、眼鏡方式の立体映像表示装置を概略的に示す図である。図１及び図２において、液晶シャッターメガネＳＴで黒色で表示された部分は観察者の方に進行する光を遮断するシャッターであり、白色で表示された部分は観察者の方に光を透過するシャッターを示す。
【０００６】
図１は、眼鏡方式の立体映像表示装置においてインパルスタイプ(Impulse type)表示素子を選択した場合の左右映像の時分割動作を示す図である。陰極線管(Cathod Ray Tube、CRT)のようなインパルスタイプ表示素子はデータをスキャニング方向によって完全に記入した直後に各ピクセルのデータが消去される。
【０００７】
図１の立体映像表示装置で、奇数フレーム期間には液晶シャッターメガネＳＴの左目シャッターが開放され、インパルスタイプ表示素子ＤＩＳ１に左目映像データＲＧＢＬが順次スキャニングされる。偶数フレーム期間には液晶シャッターメガネＳＴの右目シャッターが開放され、インパルスタイプ表示素子ＤＩＳ１に右目映像データＲＧＢＲが順次スキャニングされる。したがって、観察者は奇数フレーム間左目映像のみを見るようになり、偶数フレーム期間の間右目映像のみを見るようになって立体感を感じることができる。
【０００８】
図２は、眼鏡方式の立体映像表示装置においてホールドタイプ(Hold type)表示素子を選択した場合の左右映像の時分割動作を示す図である。液晶表示装置(Liquid Crystal Display、LCD)のようなホールドタイプ表示素子は応答時間遅延特性によって、全体ピクセルにデータが記入された後に応答完了時点から次のフレーム期間で一番目ラインにデータが記入される直前までピクセルに記入されたデータが維持される。
【０００９】
図２の立体映像表示装置において、第ｎ（ｎは正の整数）フレーム期間は液晶シャッターメガネＳＴの左目シャッターが開放され、ホールドタイプ表示素子ＤＩＳ２に左目映像データＲＧＢＬ（Ｆｎ）が順次スキャニングされる。液晶シャッターメガネＳＴの左目シャッターが開放されている間、ホールドタイプ表示素子ＤＩＳ２において第ｎフレームの左目映像データＲＧＢＬ（Ｆｎ）がまだ記入されない一部ピクセルは第ｎ−１フレームに既に充電した右目映像データＲＧＢＲ（Ｆｎ−１）を維持する。したがって、観察者は第ｎフレーム間第ｎフレームの左目映像データＲＧＢＬ（Ｆｎ）のイメージだけでなく第ｎ−１フレームの右目映像データＲＧＢＲ（Ｆｎ−１）のイメージを左目で見ることができる。
【００１０】
図２の立体映像表示装置において、第ｎ＋１フレーム期間は液晶シャッターメガネＳＴの右目シャッターが開放され、ホールドタイプ表示素子ＤＩＳ２に右目映像データＲＧＢＲ（Ｆｎ＋１）が順次スキャニングされる。液晶シャッターメガネＳＴの右目シャッターが開放されている間、ホールドタイプ表示素子ＤＩＳ２において右目映像データＲＧＢＲ（Ｆｎ＋１）がまだ記入されない一部ピクセルは第ｎフレームに充電した左目映像データＲＧＢＬ（Ｆｎ）を維持する。したがって、観察者は右目映像データＲＧＢＲ（Ｆｎ＋１）のイメージだけでなく左目映像データＲＧＢＬ（Ｆｎ）のイメージを同時に見ることができる。
【００１１】
図２で分かるように、ホールドタイプ表示素子ＤＩＳＰ２で招来される左右目映像のクロストーク(crosstalk)によって、観察者は左目映像から右目映像に変わる時間または右目映像から左目映像に変わる時間で逆立体視(pseudo-stereoscopic vision)を感じることができる。
【００１２】
図２のような立体映像表示装置の応答時間遅延による画質低下問題を改善するために、米国出願公開第２００７／０２２９３９５号明細書では液晶表示パネルに既存より早くデータをアドレッシングしてバーチカルブランク期間を増やす。そして、米国出願公開第２００７／０２２９３９５号明細書は拡張されたバーチカルブランク期間から液晶応答時間を抜いた時間の間液晶シャッターメガネＳＴを開放させる方法を提案した。
【発明の概要】
【発明が解決しようとする課題】
【００１３】
ところが、液晶シャッターメガネが一定周期でオン/オフを繰り返しながらデータがないバーチカルブランク期間が長くなり液晶シャッターメガネの開放時間が小さくなれば、観察者はフリッカーを感じることになる。さらに、液晶シャッターＳＴのオン/オフ周期と蛍光灯のような周辺光のオン/オフ周期の相関関係によって液晶シャッターを透過する光と周辺光の補強干渉が発生して観察者の感じるフリッカーがさらにひどくなるという問題があった。
【００１４】
そこで、本発明は、前述した問題点に鑑みてなされたものであり、本発明の目的とするところは、ホールドタイプ表示素子を利用する時発生される左右目映像のクロストークを防止するようにした立体映像表示装置とその駆動方法を提供することにある。
【課題を解決するための手段】
【００１５】
前記課題を解決するために、本発明に係る立体映像表示装置は、立体映像を表示する表示素子と、前記表示素子に同期して左目シャッターと右目シャッターが交互にオン/オフされるシャッターメガネと、前記表示素子に光を照射して周期的に点灯及び消灯されるバックライトユニットと、第１フレーム期間を第１アドレス期間と第１バーチカルブランク期間に分割して、前記第１フレーム期間に連続する第２フレーム期間を第２アドレス期間と第２バーチカルブランク期間に分割し、前記表示素子の液晶の応答特性で立ち下がり時間が立ち上がり時間に比べて長ければ、前記第２バーチカルブランク期間を前記第１バーチカルブランク期間より長く制御し、または前記立ち上がり時間が前記立ち下がり時間に比べて長ければ、前記第１バーチカルブランク期間を前記第２バーチカルブランク期間より長く制御する制御部と、前記制御部の制御の下に前記第１及び第２アドレス期間にデータを前記表示素子に供給する駆動回路とを備える。
【００１６】
また、本発明に係る立体映像表示装置の駆動方法は、第１フレーム期間を第１アドレス期間と第１バーチカルブランク期間に分割すると共に、前記第１フレーム期間に連続する第２フレーム期間を第２アドレス期間と第２バーチカルブランク期間に分割し、前記表示素子の液晶の応答特性で立ち下がり時間が立ち上がり時間に比べて長ければ、前記第２バーチカルブランク期間を前記第１バーチカルブランク期間より長く制御し、または前記立ち上がり時間が前記立ち下がり時間に比べて長ければ、前記第１バーチカルブランク期間を前記第２バーチカルブランク期間より長く制御する段階と、前記第１及び第２アドレス期間にデータを表示素子に供給する段階と、前記表示素子に同期してシャッターメガネの左目シャッターと右目シャッターを交互にオン/オフさせる段階と、前記表示素子に光を照射するためのバックライトユニットを周期的に点灯及び消灯させる段階を含む。
【発明の効果】
【００１７】
以上説明したように、本発明によれば、表示素子に左目映像データと右目映像データを時分割表示して液晶シャッターメガネを時分割して立体映像を具現する時バックライトユニットを点消灯制御して左目映像と右目映像のクロストーク問題を解決することができる。 また、本発明はバーチカルブランク期間を拡張してシャッター開放期間を減らす立体映像表示方法で現われるフリッカーを解決することができ、消費電力も低めることができる。
【００１８】
さらに、本発明は連続されるブラックデータがアドレッシングされるフレーム期間のバーチカルブランク期間と、映像データがアドレッシングされるフレーム期間のバーチカルブランク期間を非対称制御して表示素子の応答特性に最適条件で前記表示素子を駆動する。その結果、本発明は立体映像表示装置の表示品質を高めることができる。
【図面の簡単な説明】
【００１９】
【図１】眼鏡方式の立体映像表示装置においてインパルスタイプ表示素子を選択した場合の左右映像の時分割動作を示す図である。
【図２】眼鏡方式の立体映像表示装置においてホールドタイプ表示素子を選択した場合の左右映像の時分割動作を示す図である。
【図３】本発明の実施の形態に係る立体映像表示装置を示すブロック図である。
【図４】図３に示された制御部を詳しく示すブロック図である。
【図５】本発明の第１の実施の形態に係る立体映像表示装置の駆動方法を示す流れ図である。
【図６】本発明の第１の実施の形態に係る立体映像表示装置の駆動波形を示す波形図である。
【図７】立ち下がり時間が長い液晶の応答特性を例示した図である。
【図８】図７のような液晶の応答特性でブラックデータがアドレッシングされるフレーム期間のバーチカルブランク期間を拡張した例を示す波形図である。
【図９】本発明の第２の実施の形態に係る立体映像表示装置の駆動方法を示す流れ図である。
【図１０】本発明の第２の実施の形態に係る立体映像表示装置の駆動波形を示す波形図である。
【図１１Ａ】ノルマルガンマ特性カーブ、ハイガンマ特性カーブ及びローガンマ特性カーブを示すグラフである。
【図１１Ｂ】ノルマルガンマ特性カーブ、ハイガンマ特性カーブ及びローガンマ特性カーブを示すグラフである。
【図１１Ｃ】ノルマルガンマ特性カーブ、ハイガンマ特性カーブ及びローガンマ特性カーブを示すグラフである。
【図１２】図７のような液晶の応答特性でローガンマ特性の左右目映像データがアドレッシングされるフレーム期間のバーチカルブランク期間を拡張した例を示す波形図である。
【図１３】立ち上がり時間が長い液晶の応答特性を例示した図である。
【図１４】図１３のような液晶の応答特性で左右目映像データがアドレッシングされるフレーム期間のバーチカルブランク期間を拡張した例を示す波形図である。
【図１５】図１３のような液晶の応答特性でハイガンマ特性の左右目映像データがアドレッシングされるフレーム期間のバーチカルブランク期間を拡張した例を示す波形図である。
【図１６】本発明の第３の実施の形態に係る立体映像表示装置の駆動方法を示す流れ図である。
【図１７】本発明の第３の実施の形態に係る立体映像表示装置の駆動波形を示す波形図である。
【図１８】過駆動補償効果を得るためにＮフレーム期間連続される左目/右目映像データの内で一番目フレーム期間のバーチカルブランク期間を拡張した例を示す波形図である。
【発明を実施するための形態】
【００２０】
以下に添付図面を参照しながら、本発明の好適な実施の形態について詳細に説明する。なお、本明細書及び図面において、実質的に同一の機能を有する構成要素については、同一符号を付することにより重複説明を省略する。
【００２１】
図３を参照すれば、本発明の実施の形態に係る立体映像表示装置は、表示パネル１５、バックライトユニット１６、液晶シャッターメガネ１８、制御部１１、表示パネル駆動回路１２、バックライト駆動回路１３、液晶シャッター制御信号伝送部１４及び液晶シャッター制御信号受信部１７を備える。
【００２２】
表示パネル１５は、制御部１１の制御の下に左目映像データＲＧＢＬと右目映像データＲＧＢＲを交互に表示する。表示パネル１５は、制御部１１の制御の下に左目映像データＲＧＢＬと右目映像データＲＧＢＲの間にブラックデータを表示することができる。表示パネル１５は、バックライトユニットを要するホールドタイプ表示素子として選択することができる。ホールドタイプ表示素子として、代表的にバックライトユニット１６からの光を変調する透過型液晶表示パネルを選択することができる。
【００２３】
透過型液晶表示パネルは、薄膜トランジスター(Thin Film Transistor: 以下、“ＴＦＴ”とする)基板とカラーフィルター基板を含む。ＴＦＴ基板とカラーフィルター基板の間には液晶層が形成される。ＴＦＴ基板上には、下部ガラス基板上にデータラインとゲートライン(またはスキャンライン)が相互に直交されるように形成され、データラインとゲートラインによって定義されたセル領域に液晶セルがマトリックス状に配置される。データラインとゲートラインの交差部に形成されたＴＦＴは、ゲートラインからのスキャンパルスに応答してデータラインを経由して供給されるデータ電圧を液晶セルの画素電極に伝達するようになる。
【００２４】
このために、ＴＦＴのゲート電極はゲートラインに接続され、ソース電極はデータラインに接続される。ＴＦＴのドレーン電極は液晶セルの画素電極に接続される。画素電極と対向する共通電極には共通電圧が供給される。カラーフィルター基板は、上部ガラス基板上に形成されたブラックマトリクス、カラーフィルターを含む。共通電極はＴＮ(Twisted Nematic)モードとＶＡ(Vertical Alignment)モードのような垂直電界駆動方式で上部ガラス基板上に形成され、ＩＰＳ(In Plane Switching)モードとＦＦＳ(Fringe Field Switching)モードのような水平電界駆動方式で画素電極とともに下部ガラス基板上に形成される。
【００２５】
透過型液晶表示パネルの上部ガラス基板と下部ガラス基板それぞれには偏光板が附着され、液晶のプレチルト角(pre-tilt angle)を設定するための配向膜が形成される。透過型液晶表示パネルの上部ガラス基板と下部ガラス基板の間には液晶層のセルギャップ(cell gap)を維持するためのスペーサーが形成される。透過型液晶表示パネルの液晶モードは前述のＴＮモード、ＶＡモード、ＩＰＳモード、ＦＦＳモードだけでなくいかなる液晶モードであっても具現することができる。
【００２６】
表示パネル駆動回路１２は、データ駆動回路とゲート駆動回路を含む。データ駆動回路は制御部１１から入力される左目映像と右目映像のデータを正極性/負極性ガンマ補償電圧に変換して正極性/負極性アナログデータ電圧を発生する。データ駆動回路から出力される正極性/負極性アナログデータ電圧は表示パネル１５のデータラインに供給される。ゲート駆動回路はデータ電圧と同期するゲートパルス(またはスキャンパルス)を表示パネル１５のゲートラインに順次供給する。
【００２７】
バックライトユニット１６は、あらかじめ設定された所定の時間の間点灯して表示パネル１５に光を照射してその以外の期間の間消灯して点灯と消灯を周期的に繰り返す。バックライトユニット１６は、バックライト駆動回路１３から供給される駆動電力によって点灯する光源、導光板(または拡散板)、多数の光学シートなどを含む。バックライトユニット１６は、直下型(direct type)バックライトユニットまたはエッジ型(edge type)バックライトユニットに具現することができる。バックライトユニットの光源は、ＨＣＦＬ(Hot Cathode Fluorescent Lamp)、ＣＣＦＬ(Cold Cathode Fluorescent Lamp)、ＥＥＦＬ(External Electrode Fluorescent Lamp)、ＬＥＤ(Light Emitting Diode)の内いずれか一つまたは二つの種類以上の光源を含むことができる。
【００２８】
バックライト駆動回路１３は、光源を点灯させるための駆動電力を発生する。バックライト駆動回路１３は、制御部１１の制御の下に光源に供給される駆動電力を周期的にオン/オフ(ON/OFF)する。
【００２９】
液晶シャッターメガネ１８は、電気的に個別制御される左目シャッターＳＴＬと右目シャッターＳＴＲを備える。左目シャッターＳＴＬと右目シャッターＳＴＲそれぞれは、第１透明基板、第１透明基板上に形成された第１透明電極、第２透明基板、第２透明基板上に形成された第２透明電極、第１及び第２透明基板上に狭持された液晶層を含む。第１透明電極には基準電圧が供給され、第２透明電極にはＯＮ／ＯＦＦ電圧が供給される。左目シャッターＳＴＬと右目シャッターＳＴＲそれぞれは第２透明電極にＯＮ電圧が供給される時表示パネル１５からの光を透過させる一方、第２透明電極にＯＦＦ電圧が供給される時表示パネルからの光を遮断する。
【００３０】
液晶シャッター制御信号伝送部１４は、制御部１１に接続されて制御部１１から入力される液晶シャッター制御信号ＣＳＴを有/無線インターフェースを通じて液晶シャッター制御信号受信部１７に伝送する。液晶シャッター制御信号受信部１７は、液晶シャッターメガネ１８に設置されて有/無線インターフェースを通じて液晶シャッター制御信号ＣＳＴを受信して、液晶シャッター制御信号ＣＳＴによって液晶シャッターメガネ１８の左目シャッターＳＴＬと右目シャッターＳＴＲを交互に開閉する。
【００３１】
液晶シャッター制御信号ＣＳＴが第１論理値で液晶シャッター制御信号受信部１７に入力される時、左目シャッターＳＴＬの第２透明電極にＯＮ電圧が供給される反面、右目シャッターＳＴＲの第２透明電極にＯＦＦ電圧が供給される。液晶シャッター制御信号ＣＳＴが第２論理値で液晶シャッター制御信号受信部１７に入力される時、左目シャッターＳＴＬの第２透明電極にＯＦＦ電圧が供給される反面、右目シャッターＳＴＲの第２透明電極にＯＮ電圧が供給される。
【００３２】
したがって、液晶シャッターメガネ１８の左目シャッターＳＴＬは液晶シャッター制御信号ＣＳＴが第１論理値として発生する時開放され、液晶シャッターメガネ１８の右目シャッターＳＴＲは液晶シャッター制御信号ＣＳＴが第２論理値として発生する時開放される。第１論理値はハイ論理電圧(High logic voltage)で、第２論理値はロー論理電圧(High logic voltage)で設定される。
【００３３】
制御部１１は、図示しないビデオソースからタイミング信号とデジタルビデオデータＲＧＢの入力を受ける。タイミング信号は、垂直同期信号Ｖｓｙｎｃ、水平同期信号Ｈｓｙｎｃ、データイネーブル信号ＤＥ、ドットクロックＣＬＫなどを含む。
【００３４】
制御部１１は、第１の実施の形態において、図５及び図６のようなデータシーケンスによって左右目映像データＲＧＢＬ、ＲＧＢＲそれぞれの後にブラックデータがアドレッシングされるフレーム期間を挿入することができる。液晶の応答特性で立ち下がり時間(Falling time)が図７のように立ち上がり時間(Rising time)に比べて長ければ、制御部１１は、図８のように左右目映像データＲＧＢＬ、ＲＧＢＲが表示されるフレーム期間のバーチカルブランク期間に比べてブラックデータが表示されるフレーム期間のバーチカルブランク期間をさらに長く制御する。
【００３５】
制御部１１は、第２の実施の形態において、図９ないし図１１ＣのようにＮ（Ｎは２以上の正の整数）フレーム期間の間互いに異なるガンマ特性に変調された左目映像データＲＧＢＬ（ＨＧ）、ＲＧＢＬ（ＬＧ）を連続に出力した後に、その次Ｎフレーム期間の間互いに異なるガンマ特性に変調された右目映像データＲＧＢＲ（ＨＧ）、ＲＧＢＲ（ＬＧ）を連続して出力することができる。液晶の応答特性で立ち下がり時間が図７のように立ち上がり時間に比べて長ければ、制御部１１は、図１２のようハイガンマ特性の左右目映像データＲＧＢＬ（ＨＧ）、ＲＧＢＲ（ＨＧ）がアドレッシングされるフレーム期間のバーチカルブランク期間よりローガンマ特性の左右目映像データＲＧＢＬ（ＬＧ）、ＲＧＢＲ（ＬＧ）がアドレッシングされるフレーム期間のバーチカルブランク期間をさらに長く制御する。
【００３６】
制御部１１は、第３の実施の形態において、液晶の応答特性で立ち上がり時間が図１３のように立ち下がり時間に比べて長ければ、図１４のように左右目映像データＲＧＢＬ、ＲＧＢＲが表示されるフレーム期間のバーチカルブランク期間をブラックデータが表示されるフレーム期間のバーチカルブランク期間よりさらに長く制御する。
【００３７】
制御部１１は、第４の実施の形態において、液晶の応答特性で立ち上がり時間が図１３のように立ち下がり時間に比べて長ければ、図１５のようにハイガンマ特性の左右目映像データＲＧＢＬ（ＨＧ））、ＲＧＢＲ（ＨＧ）がアドレッシングされるフレーム期間のバーチカルブランク期間をローガンマ特性の左右目映像データＲＧＢＬ（ＬＧ）、ＲＧＢＲ（ＬＧ）がアドレッシングされるフレーム期間のバーチカルブランク期間よりさらに長く制御する。
【００３８】
制御部１１は、第５の実施の形態において、図１６及び図１７のようにＮフレーム期間の間同一の左目映像データＲＧＢＬを連続して出力した後に、その次Ｎフレーム期間の間同一の右目映像データＲＧＢＲを連続して出力することができる。制御部１１は、図１８のように第１左右目映像データＲＧＢＬ（１）、ＲＧＢＲ（１）が表示されるフレーム期間のバーチカルブランク期間を第２左右目映像データＲＧＢＬ（２）、ＲＧＢＲ（２）が表示されるフレーム期間のバーチカルブランク期間よりさらに長く制御する。
【００３９】
制御部１１は、フレーム周波数を入力フレーム周波数のＮ倍、望ましくは４倍以上に逓倍して逓倍されたフレーム周波数基準で表示パネル制御信号ＣＤＩＳ、バックライト制御信号ＣＢＬ、及び液晶シャッター制御信号ＣＳＴを発生する。入力フレーム周波数はＰＡＬ(Phase Alternate Line)方式で５０Ｈｚであり、ＮＴＳＣ(National Television Standards Committee)方式で６０Ｈｚである。
【００４０】
したがって、制御部１１は、入力フレーム周波数を４倍に逓倍する時２００Hz以上のフレーム周波数基準で表示パネル制御信号ＣＤＩＳ、バックライト制御信号ＣＢＬ、及び液晶シャッター制御信号ＣＳＴの周波数を逓倍する。フレーム周波数が２００Ｈｚである時１フレーム期間は５ｍｓｅｃであり、フレーム周波数が２４０Ｈｚである時１フレーム期間は概略４．１６ｍｓｅｃである。
【００４１】
表示パネル制御信号ＣＤＩＳは、データ駆動回路の動作タイミングを制御するためのデータ制御信号と、ゲート駆動回路の動作タイミングを制御するためのゲート制御信号を含む。データ制御信号はソーススタートパルス(Source、Start Pulse、ＳＳＰ)、ソースサンプリングクロック(Source Sampling Clock、ＳＳＣ)、ソース出力イネーブル信号(Source Output Enable、ＳＯＥ)、極性制御信号ＰＯＬなどを含む。ソーススタートパルスＳＳＰはデータ駆動回路のデータサンプリング開始時点を制御する。ソースサンプリングクロックは立ち上がりまたは立ち下がりエッジに基づいてデータ駆動回路のサンプリング動作を制御するクロック信号である。データ駆動回路に入力されるデジタルビデオデータがｍｉｎｉ ＬＶＤＳ(Low Voltage Differential Signaling) インターフェース規格で伝送されたら、ソーススタートパルスＳＳＰとソースサンプリングクロックＳＳＣは省略される。
【００４２】
極性制御信号ＰＯＬは、データ駆動回路から出力されるデータ電圧の極性をｎ(ｎは正の整数)水平期間周期で反転させる。ソース出力イネーブル信号ＳＯＥはデータ駆動回路の出力タイミングを制御する。ゲート制御信号はゲートスタートパルス（Gate Start Pulse、ＧＳＰ）、ゲートシフトクロック(Gate Shift Clock、ＧＳＣ)、ゲート出力イネーブル信号(Gate Output Enable、ＧＯＥ)などを含む。ゲートスタートパルスＧＳＰは一番目ゲートパルスのタイミングを制御する。ゲートシフトクロックＧＳＣはゲートスタートパルスＧＳＰをシフトさせるためのクロック信号である。ゲート出力イネーブル信号ＧＯＥはゲート駆動回路の出力タイミングを制御する。
【００４３】
バックライト制御信号ＣＢＬは、バックライト駆動回路１３を制御して図５ないし図１８のようにバックライトユニット１６の光源を周期的に点灯及び消灯させる。液晶シャッター制御信号ＣＳＴは液晶シャッター制御信号伝送部１４に伝送されて液晶シャッターメガネ１８の左目シャッターＳＴＬと右目シャッターＳＴＲを交互に開閉させる。
【００４４】
図４は制御部１１を詳しく示す。
【００４５】
図４を参照すれば、制御部１１は、第１制御信号発生部２１、フレームカウンター２２、ラインカウンター２３、第２制御信号発生部２５、メモリー２４及びデータ分離部２６を備える。
【００４６】
第１制御信号発生部２１は、ビデオソースから入力されるタイミング信号を利用して図５ないし図１８のような表示パネル制御信号ＣＤＩＳと液晶シャッター制御信号ＣＳＴを発生する。第１制御信号発生部２１は、図８、図１２、図１４、図１５、及び図１８に示されたアドレス期間ＡＤＤＲに表示パネル１５にデータが記入されるように表示パネル制御信号ＣＤＩＳを出力する一方、データがないバーチカルブランク期間ＶＢに表示パネル制御信号ＣＤＩＳを出力しない。
【００４７】
フレームカウンター２２は、垂直同期信号ＶｓｙｎｃまたはゲートスタートパルスＧＳＰのように１垂直期間(または１フレーム期間)に１回パルスが発生される信号をカウントしてフレームカウント信号Ｃｎｔ＿ＦＲを発生する。ラインカウンター２３は、水平同期信号Ｈｓｙｎｃまたはデータイネーブル信号ＤＥのように１水平期間に１回パルスが発生される信号をカウントしてラインカウント信号Ｃｎｔ＿ＬＮを発生する。
【００４８】
第２制御信号発生部２５は、フレームカウント信号Ｃｎｔ＿ＦＲとラインカウント信号Ｃｎｔ＿ＬＮの入力を受けて図５ないし図１０のようなバックライト制御信号ＣＢＬを発生する。
【００４９】
メモリー２４は、入力デジタルビデオデータＲＧＢを一時貯蔵する。入力デジタルビデオデータＲＧＢには１フレーム単位で左目映像データＲＧＢＬと右目映像データＲＧＢＲが交互にエンコードされる。こうように、入力デジタルビデオデータＲＧＢに左目映像データＲＧＢＬと右目映像データＲＧＢＲが１フレーム単位で交互にエンコードされたら、メモリー２４はフレームメモリーに選択される。一方、入力デジタルビデオデータＲＧＢには１ライン単位で左目映像データＲＧＢＬと右目映像データＲＧＢＲが交互にエンコードされる。このように、入力デジタルビデオデータＲＧＢに左目映像データＲＧＢＬと右目映像データＲＧＢＲが１ライン単位で交互にエンコードされたら、メモリー２４はラインメモリーに選択される。
【００５０】
データ分離部２６は、メモリー２４から入力されるデジタルビデオデータＲＧＢを再整列して左目映像データＲＧＢＬと右目映像データＲＧＢＲを分離して図５ないし図１８のようなデータシーケンスによって左目映像データＲＧＢＬと右目映像データＲＧＢＲを伝送する。データ分離部２６は、左目映像データＲＧＢＬと右目映像データＲＧＢＲそれぞれの後にブラックデータを挿入することができる。また、データ分離部２６は、左目映像データＲＧＢＬのガンマ特性を１フレーム期間単位で異なるよう変換し、連続する右目映像データＲＧＢＲのガンマ特性を１フレーム期間単位で異なるよう変換することができる。データ分離部２６は、図８、図１２、図１４、図１５、及び図１８に示されたアドレス期間ＡＤＤＲにデータを出力する一方、バーチカルブランク期間ＶＢにデータを出力しない。
【００５１】
以下、図５ないし図１８を参照して本発明の立体映像表示装置の駆動方法の多様な実施の形態に対して具体的に説明する。図５、図７及び図９の流れ図において、‘ＢＬ’はバックライトユニット１６を意味し、‘ＳＴＬ’と‘ＳＴＲ’は液晶シャッターメガネ１８の左目シャッターと右目シャッターを意味する。
【００５２】
図５は、本発明の第１の実施の形態に係る立体映像表示装置の駆動方法を示す流れ図である。図６は、本発明の第１の実施の形態に係る立体映像表示装置の駆動波形を示す波形図である。この実施の形態に対して図３及び図４に示された立体映像表示装置を参照して詳しく説明する。
【００５３】
図５及び図６を参照すれば、制御部１１は、メモリー２４を利用して入力デジタルビデオデータＲＧＢから左目映像データＲＧＢＬと右目映像データＲＧＢＲを分離する（Ｓ５１）。
【００５４】
１フレーム期間は表示素子にデータがアドレッシングされるアドレス期間ＡＤＤＲと、データがないバーチカルブランク期間ＶＢに分けられる。制御部１１は、フレームカウントとラインカウントを通じてフレーム期間のアドレス期間ＡＤＤＲ及びバーチカルブランク期間ＶＢを判断することができ、バックライトユニット１６の点・消灯時間を判断することができる（Ｓ５２）。
【００５５】
制御部１１は、第ｎフレーム期間Ｆｎのアドレス期間ＡＤＤＲ間表示パネル制御信号ＣＤＩＳを発生する。そして、制御部１１は、第ｎフレーム期間Ｆｎのアドレス期間ＡＤＤＲの間左目映像データＲＧＢＬをデータ駆動回路に供給し液晶シャッター制御信号ＣＳＴをハイ論理として発生する。データ駆動回路は、第ｎフレーム期間Ｆｎのアドレス期間ＡＤＤＲの間左目映像データＲＧＢＬのデータ電圧を表示パネル１５のデータラインに供給して表示パネル１５のピクセルに左目映像データＲＧＢＬをアドレッシングする。液晶シャッター制御信号受信部１７は、第ｎフレーム期間Ｆｎの間、ハイ論理の液晶シャッター制御信号ＣＳＴに応答して左目シャッターＳＴＬを開放して右目シャッターＳＴＲを遮断する（Ｓ５３及びＳ５４）。
【００５６】
制御部１１は、第ｎフレーム期間Ｆｎの開始時点から所定の時間Ｔまでバックライト制御信号ＣＢＬをロー論理で維持した後ハイ論理に反転させる。所定の時間Ｔはラインカウント値によって判断することができ、０より大きく１フレーム期間より短い時間内で液晶の応答時間以後の時間に決まることができる。バックライト駆動回路１３は、ハイ論理のバックライト制御信号ＣＢＬに応答して第ｎフレーム期間Ｆｎの開始時点からＴだけ経過した時点からバックライトユニット１６の光源を点灯させる（Ｓ５５及びＳ５６）。
【００５７】
制御部１１は、第ｎ＋１フレーム期間Ｆｎ＋１のアドレス期間ＡＤＤＲの間、表示パネル制御信号ＣＤＩＳを発生しレジスター(register)に貯蔵されたブラックデータ(例えば、デジタルデータ通信"0000 0000")をデータ駆動回路に繰り返し供給して、液晶シャッター制御信号ＣＳＴをハイ論理に維持する（Ｓ５７及びＳ５８）。データ駆動回路は、第ｎ＋１フレーム期間Ｆｎ＋１のアドレス期間ＡＤＤＲ、ブラックデータのデータ電圧を表示パネル１５のデータラインに供給して表示パネル１５のピクセルにブラックデータをアドレッシングする。バックライト駆動回路１３は、ハイ論理のバックライト制御信号ＣＢＬに応答して第ｎ＋１フレーム期間Ｆｎ＋１の間、バックライトユニット１６の光源を点灯させる。液晶シャッター制御信号受信部１７は、第ｎ＋１フレーム期間Ｆｎ＋１、ハイ論理の液晶シャッター制御信号ＣＳＴに応答して左目シャッターＳＴＬを開放して右目シャッターＳＴＲを遮断する。
【００５８】
制御部１１は、第ｎ＋１フレーム期間Ｆｎ＋１のバーチカルブランク期間ＶＢ内でバックライト制御信号ＣＢＬをロー論理に反転させた後に、第ｎ＋１フレーム期間Ｆｎ＋１のバーチカルブランク期間ＶＢ内で液晶シャッター制御信号ＣＳＴをロー論理に反転させる。
【００５９】
バックライト駆動回路１３は、第ｎ＋１フレーム期間のバーチカルブランク期間ＶＢにロー論理のバックライト制御信号ＣＢＬに応答してバックライトユニット１６の光源を消灯させる。液晶シャッター制御信号受信部１７は、ロー論理の液晶シャッター制御信号ＣＳＴに応答して第ｎ＋１フレーム期間Ｆｎ＋１のバーチカルブランク期間ＶＢ内で左目シャッターＳＴＬを遮断して右目シャッターＳＴＲを開放する。（Ｓ５９及びＳ６０）
【００６０】
制御部１１は、第ｎ＋２フレーム期間Ｆｎ＋２のアドレス期間ＡＤＤＲの間、表示パネル制御信号ＣＤＩＳを発生し、右目映像データＲＧＢＲをデータ駆動回路に供給して液晶シャッター制御信号ＣＳＴをロー論理で発生する。データ駆動回路は第ｎ＋２フレーム期間Ｆｎ＋２のアドレス期間ＡＤＤＲに右目映像データＲＧＢＲのデータ電圧を表示パネル１５のデータラインに供給して表示パネル１５のピクセルに右目映像データＲＧＢＲをアドレッシングする。液晶シャッター制御信号受信部１７は、第ｎ＋２フレーム期間Ｆｎ＋２の間、ロー論理の液晶シャッター制御信号ＣＳＴに応答して左目シャッターＳＴＬを遮断して右目シャッターＳＴＲを開放する。（Ｓ６１及びＳ６２）
【００６１】
制御部１１は、第ｎ＋２フレーム期間Ｆｎ＋２の開始時点にバックライト制御信号ＣＢＬをロー論理で発生した後第ｎ＋２フレーム期間Ｆｎ＋２の開始時点から所定の時間Ｔ経過された時点にバックライト制御信号ＣＢＬをハイ論理に反転させる。バックライト駆動回路１３は、ハイ論理のバックライト制御信号ＣＢＬに応答して第ｎ＋２フレーム期間Ｆｎ＋２の開始時点以後Ｔ経過された時点からバックライトユニット１６の光源を点灯させる。（Ｓ６３及びＳ６４）
【００６２】
制御部１１は、第ｎ＋３フレーム期間Ｆｎ＋３のアドレス期間ＡＤＤＲの間、表示パネル制御信号ＣＤＩＳを発生し、レジスターに貯蔵されたブラックデータをデータ駆動回路に繰り返し供給して、液晶シャッター制御信号ＣＳＴをロー論理で維持する（Ｓ６５及びＳ６６）。データ駆動回路は、第ｎ＋３フレーム期間Ｆｎ＋３のアドレス期間ＡＤＤＲにブラックデータのデータ電圧を表示パネル１５のデータラインに供給して表示パネル１５のピクセルにブラックデータをアドレッシングする。バックライト駆動回路１３は、ハイ論理のバックライト制御信号ＣＢＬに応答して第ｎ＋３フレーム期間Ｆｎ＋３の間、バックライトユニット１６の光源を点灯させる。液晶シャッター制御信号受信部１７は、第ｎ＋３フレーム期間Ｆｎ＋３の間、ロー論理の液晶シャッター制御信号ＣＳＴに応答して左目シャッターＳＴＬを遮断し右目シャッターＳＴＲを開放する。
【００６３】
制御部１１は、第ｎ＋３フレーム期間Ｆｎ＋３のバーチカルブランク期間ＶＢにバックライト制御信号ＣＢＬをロー論理に反転させた後に第ｎ＋３フレーム期間Ｆｎ＋３のバーチカルブランク期間ＶＢに液晶シャッター制御信号ＣＳＴをハイ論理に反転させる（Ｓ６７及びＳ６８）。バックライト駆動回路１３は、第ｎ＋３フレーム期間Ｆｎ＋３のバーチカルブランク期間ＶＢにロー論理のバックライト制御信号ＣＢＬに応答してバックライトユニット１６の光源を消灯させる。液晶シャッター制御信号受信部１７は、第ｎ＋３フレーム期間Ｆｎ＋３のバーチカルブランク期間ＶＢにハイ論理の液晶シャッター制御信号ＣＳＴに応答して左目シャッターＳＴＬを開放して右目シャッターＳＴＲを遮断する。
【００６４】
液晶の応答特性は、式（１）及び（２）に定義される立ち上がり時間(rising time、τr)と立ち下がり時間(falling time、τf)で判断することができる。
【００６５】
【数１】
0005483432.tif 000002
【００６６】
ここで、ＶFは液晶分子が傾斜運動を始めるフリーデリック遷移電圧(Freederick Transition Voltage)を、ｄは液晶セルのセルギャップ(cell gap)を、γ(gamma)は液晶分子の回転粘度(rotational viscosity)をそれぞれ意味する。
【００６７】
【数２】
0005483432.tif 000003
【００６８】
ここで、Ｋは液晶固有の弾性係数を意味する。
【００６９】
液晶の応答特性において、液晶の立ち上がり時間(τr)は立ち下がり時間(τf)に比べてさらに大きくすることができる。この場合に、ブラックデータがアドレッシングされるフレーム期間が短ければ、そのフレーム期間の間液晶セルにブラックデータが充分に充電されなく残像が見えられる。特に、フレーム周波数が２００Ｈｚ以上の時、フレーム期間が短くなるので液晶セルのブラックデータ充電時間が不足する。
【００７０】
本発明の第１の実施の形態において、制御部１１は、図８のようにブラックデータがアドレッシングされるフレーム期間（Ｆｎ＋１、Ｆｎ＋３)のバーチカルブランク期間ＶＢを左右目映像データ（ＲＧＢＬ、ＲＧＢＲ）がアドレッシングされるフレーム期間（Ｆｎ、Ｆｎ＋２）に比べてさらに長く制御する。２４０Ｈｚのフレーム周波数で、１フレーム期間は概略４．１６ｍｓｅｃである。この場合に、左右目映像データ（ＲＧＢＬ、ＲＧＢＲ）がアドレッシングされるフレーム期間（Ｆｎ、Ｆｎ＋２）それぞれでアドレス期間ＡＤＤＲは概略４ｍｓｅｃ以下に制御されて、バーチカルブランク期間ＶＢは０．１６７ｍｓｅｃ)に制御される。これに比べて、ブラックデータがアドレッシングされるフレーム期間（Ｆｎ＋１、Ｆｎ＋３）それぞれでアドレス期間ＡＤＤＲは概略４ｍｓｅｃ以下に制御されて、バーチカルブランク期間ＶＢは１．８３３ｍｓｅｃ以上に長く制御される。
【００７１】
図９は、本発明の第２の実施の形態に係る立体映像表示装置の駆動方法を示す流れ図である。図１０は、本発明の第２の実施の形態に係る立体映像表示装置の駆動波形を示す波形図である。この実施の形態に対して図３及び図４に示された立体映像表示装置を参照して詳しく説明する。
【００７２】
図９及び図１０を参照すれば、制御部１１は、左目映像データＲＧＢＬと右目映像データＲＧＢＲを分離し、フレーム期間とラインをカウントする（Ｓ１０１、Ｓ１０２）。
【００７３】
制御部１１は、第ｎフレーム期間Ｆｎのアドレス期間ＡＤＤＲの間、表示パネル制御信号ＣＤＩＳを発生する。そして、制御部１１は、第ｎフレーム期間Ｆｎのアドレス期間ＡＤＤＲの間、図１１Ｂのようにハイガンマ特性で変調された左目映像データＲＧＢＬ（ＨＧ）をデータ駆動回路に供給して液晶シャッター制御信号ＣＳＴをハイ論理で発生する。
【００７４】
ハイガンマ特性の左目映像データＲＧＢＬ（ＨＧ）は、図１１Ａのようなノルマルガンマ特性に比べて低階調と中間階調で表示輝度を高くする。データ駆動回路は第ｎフレーム期間Ｆｎのアドレス期間ＡＤＤＲの間、ハイガンマ特性の左目映像データＲＧＢＬ（ＨＧ）のデータ電圧を表示パネル１５のデータラインに供給して表示パネル１５のピクセルに左目映像データＲＧＢＬ（ＨＧ）をアドレッシングする。
【００７５】
液晶シャッター制御信号受信部１７は、第ｎフレーム期間Ｆｎの間、ハイ論理の液晶シャッター制御信号ＣＳＴに応答して左目シャッターＳＴＬを開放して右目シャッターＳＴＲを遮断する。制御部１１は、第ｎフレーム期間Ｆｎの開始時点にバックライト制御信号ＣＢＬをロー論理で発生した後、第ｎフレーム期間Ｆｎの開始時点から所定の時間Ｔ経過された時点にバックライト制御信号ＣＢＬをハイ論理に反転させる。バックライト駆動回路１３は、ハイ論理のバックライト制御信号ＣＢＬに応答して第ｎフレーム期間Ｆｎの開始時点からＴ経過された時点からバックライトユニット１６の光源を点灯させる（Ｓ１０３ないしＳ１０６）。
【００７６】
制御部１１は、第ｎ＋１フレーム期間Ｆｎ＋１のアドレス期間ＡＤＤＲの間、表示パネル制御信号ＣＤＩＳを発生し、図１１Ｃのようにローガンマ特性に変調された左目映像データＲＧＢＬ（ＬＧ）をデータ駆動回路に供給し、液晶シャッター制御信号ＣＳＴをハイ論理で維持する。データ駆動回路は、第ｎ＋１フレーム期間Ｆｎ＋１にローガンマ特性の左目映像データＲＧＢＬ（ＬＧ）のデータ電圧を表示パネル１５のデータラインに供給して表示パネル１５のピクセルに左目映像データＲＧＢＬ（ＬＧ）をアドレッシングする。
【００７７】
ローガンマ特性の左目映像データＲＧＢＬ（ＬＧ）は、図１１Ａのようなノルマルガンマ特性に比べて低階調と中間階調で表示輝度をさらに低める。バックライト駆動回路１３は、ハイ論理のバックライト制御信号ＣＢＬに応答して第ｎ＋１フレーム期間Ｆｎ＋１の間バックライトユニット１６の光源を点灯させる。液晶シャッター制御信号受信部１７は、第ｎ＋１フレーム期間Ｆｎ＋１の間ハイ論理の液晶シャッター制御信号ＣＳＴに応答して左目シャッターＳＴＬを開放し右目シャッターＳＴＲを遮断する（Ｓ１０７及びＳ１０８）。
【００７８】
制御部１１は、第ｎ＋１フレーム期間Ｆｎ＋１のバーチカルブランク期間ＶＢにバックライト制御信号ＣＢＬをロー論理に反転させ、液晶シャッター制御信号ＣＳＴをロー論理に反転させる（Ｓ１０９及びＳ１１０）。バックライト駆動回路１３は、第ｎ＋１フレーム期間Ｆｎ＋１のバーチカルブランク期間ＶＢにロー論理のバックライト制御信号ＣＢＬに応答してバックライトユニット１６の光源を消灯させる。液晶シャッター制御信号受信部１７は、第ｎ＋１フレーム期間Ｆｎ＋１のバーチカルブランク期間ＶＢにロー論理の液晶シャッター制御信号ＣＳＴに応答して左目シャッターＳＴＬを遮断して右目シャッターＳＴＲを開放する（Ｓ１０９及びＳ１１０）。
【００７９】
制御部１１は、第ｎ＋２フレーム期間のアドレス期間ＡＤＤＲの間、表示パネル制御信号ＣＤＩＳを発生する。制御部１１は、第ｎ＋２フレーム期間のアドレス期間ＡＤＤＲの間、図１１Ｂのようなハイガンマ特性の右目映像データＲＧＢＲ（ＨＧ）をデータ駆動回路に供給して液晶シャッター制御信号ＣＳＴをロー論理で発生する。データ駆動回路は、第ｎ＋２フレーム期間Ｆｎ＋２のアドレス期間ＡＤＤＲにハイガンマ特性の右目映像データＲＧＢＲ（ＨＧ）のデータ電圧を表示パネル１５のデータラインに供給して表示パネル１５のピクセルに右目映像データＲＧＢＲ（ＨＧ）をアドレッシングする。液晶シャッター制御信号受信部１７は、第ｎ＋２フレーム期間Ｆｎ＋２のアドレス期間ＡＤＤＲの間ロー論理の液晶シャッター制御信号ＣＳＴに応答して左目シャッターＳＴＬを遮断して右目シャッターＳＴＲを開放する。
【００８０】
制御部１１は、第ｎ＋２フレーム期間Ｆｎ＋２の開始時点にバックライト制御信号ＣＢＬをロー論理で発生した後第ｎ＋２フレーム期間Ｆｎ＋２の開始時点から所定の時間Ｔ経過された時点にバックライト制御信号ＣＢＬをハイ論理に反転させる。バックライト駆動回路１３は、ハイ論理のバックライト制御信号ＣＢＬに応答して第ｎ＋２フレーム期間Ｆｎ＋２の開始時点以後Ｔ経過された時点からバックライトユニット１６の光源を点灯させる（Ｓ１１１ないしＳ１１４）。
【００８１】
制御部１１は、第ｎ＋３フレーム期間Ｆｎ＋３のアドレス期間ＡＤＤＲの間、表示パネル制御信号ＣＤＩＳを発生する。そして、制御部１１は、第ｎ＋３フレーム期間Ｆｎ＋３のアドレス期間ＡＤＤＲの間、図１１Ｃのようなローガンマ特性の右目映像データＲＧＢＲ（ＬＧ）をデータ駆動回路に供給して、液晶シャッター制御信号ＣＳＴをロー論理で維持する。データ駆動回路は、第ｎ＋３フレーム期間Ｆｎ＋３にローガンマ特性の右目映像データＲＧＢＲ（ＬＧ）のデータ電圧を表示パネル１５のデータラインに供給して表示パネル１５のピクセルに右目映像データＲＧＢＲ（ＬＧ）をアドレッシングする。バックライト駆動回路１３は、ハイ論理のバックライト制御信号ＣＢＬに応答して第ｎ＋３フレーム期間Ｆｎ＋３の間バックライトユニット１６の光源を点灯させる。液晶シャッター制御信号受信部１７は、第ｎ＋３フレーム期間Ｆｎ＋３の間、ロー論理の液晶シャッター制御信号ＣＳＴに応答して左目シャッターＳＴＬを遮断して右目シャッターＳＴＲを開放する（Ｓ１１５及びＳ１１６）。
【００８２】
制御部１１は、第ｎ＋３フレーム期間Ｆｎ＋３のバーチカルブランク期間ＶＢの間、バックライト制御信号ＣＢＬをロー論理に反転させ、液晶シャッター制御信号ＣＳＴをハイ論理に反転させる（Ｓ１１７及びＳ１１８）。バックライト駆動回路１３は、第ｎ＋３フレーム期間のバーチカルブランク期間ＶＢにロー論理のバックライト制御信号ＣＢＬに応答してバックライトユニット１６の光源を消灯させる。液晶シャッター制御信号受信部１７は、第ｎ＋３フレーム期間のバーチカルブランク期間ＶＢにハイ論理の液晶シャッター制御信号ＣＳＴに応答して左目シャッターＳＴＬを開放して右目シャッターＳＴＲを遮断する。
【００８３】
データのガンマ特性の変調方法は、本願出願人によって既に出願された大韓民国特許出願第１０−２００６−０１０８８４９号(2006．11．06)、大韓民国特許出願第１０−２００６−００７８８７３号(2006．08．21)、大韓民国特許出願第１０−２００７−００３８４３８号(2007．04．19)、大韓民国特許出願第１０−２００６−０１３９２０３号(2006．12．30)等に開示された方法を利用することができる。
【００８４】
液晶の応答特性で、図７のように液晶の立ち下がり時間(τf)を立ち上がり時間(τr) よりさらに大きくすることができる。この場合に、図９及び図１０のようにローガンマ特性の左右目映像データＲＧＢＬ（ＬＧ）、ＲＧＢＲ（ＬＧ）がアドレッシングされるフレーム期間が短ければ、そのフレーム期間の間液晶セルにデータが充分に充電されにくい。特に、フレーム周波数が２００Ｈｚ以上の時、フレーム期間が短くなるから、液晶セルにローガンマ特性に変調されたデータの充電時間が不足する。このような問題を解決するために、本発明の第２の実施の形態において、制御部１１は、図１２にように、ローガンマ特性の左右目映像データＲＧＢＬ（ＬＧ）、ＲＧＢＲ（ＬＧ）がアドレッシングされるフレーム期間（Ｆｎ＋１、Ｆｎ＋３）のバーチカルブランク期間ＶＢをハイガンマ特性の左右目映像データRGBL(HG)、RGBR(HG)がアドレッシングされるフレーム期間（Ｆｎ、Ｆｎ＋２）よりさらに長く制御する。
【００８５】
液晶の応答特性で、図１３のように液晶の立ち上がり時間τrを立ち下がり時間τfよりさらに大きくすることができる。この場合に、左右目映像データ（ＲＧＢＬ、ＲＧＢＲ）がアドレッシングされるフレーム期間を充分に長くするのが望ましい。本発明の第３の実施の形態において、制御部１１は、図１４のように左右目映像データ（ＲＧＢＬ、ＲＧＢＲ）がアドレッシングされるフレーム期間(Ｆｎ、Ｆｎ＋２)のバーチカルブランク期間ＶＢをブラックデータがアドレッシングされるフレーム期間(Ｆｎ＋１、Ｆｎ＋３)に比べてさらに長く制御する。
【００８６】
液晶の応答特性で、図１３のように液晶の立ち上がり時間τrを立ち下がり時間τfよりさらに大きくすることができる。この場合に、ハイガンマ特性の左右目映像データＲＧＢＬ(ＨＧ)、ＲＧＢＲ(ＨＧ)がアドレッシングされるフレーム期間を充分に長くするのが望ましい。本発明の第４の実施の形態において、制御部１１は、図１５のようにハイガンマ特性の左右目映像データＲＧＢＬ(ＨＧ)、ＲＧＢＲ(ＨＧ)がアドレッシングされるフレーム期間（Ｆｎ、Ｆｎ＋２)のバーチカルブランク期間ＶＢをローガンマ特性の左右目映像データＲＧＢＬ（ＬＧ）、ＲＧＢＲ（ＬＧ）がアドレッシングされるフレーム期間(Ｆｎ＋１、Ｆｎ＋３)に比べてさらに長く制御する。
【００８７】
図１６は、本発明の第３の実施の形態に係る立体映像表示装置の駆動方法を示す流れ図である。図１７は、本発明の第３の実施の形態に係る立体映像表示装置の駆動波形を示す波形図である。この実施の形態に対して図３及び図４に示された立体映像表示装置を参照して詳しく説明する。
【００８８】
図１６及び図１７を参照すれば、制御部１１は、左目映像データＲＧＢＬと右目映像データＲＧＢＲを分離して、フレーム期間とラインをカウントする（Ｓ１５１、Ｓ１５２）。
【００８９】
制御部１１は、第ｎフレーム期間Ｆｎのアドレス期間ＡＤＤＲに表示パネル制御信号ＣＤＩＳを発生して第１左目映像データＲＧＢＬ（１）をデータ駆動回路に供給する。そして、制御部１１は、第ｎフレーム期間Ｆｎにバックライト制御信号ＣＢＬをロー論理で発生して液晶シャッター制御信号ＣＳＴをハイ論理で発生する。データ駆動回路は、第ｎフレーム期間Ｆｎのアドレス期間ＡＤＤＲに第１左目映像データＲＧＢＬ（１）のデータ電圧を表示パネル１５のデータラインに供給して表示パネル１５のピクセルに第１左目映像データＲＧＢＬ（１）をアドレッシングする。バックライト駆動回路１３は、第ｎフレーム期間Ｆｎの間、ロー論理のバックライト制御信号ＣＢＬに応答して光源を消灯させる。液晶シャッター制御信号受信部１７は、第ｎフレーム期間Ｆｎの間ハイ論理の液晶シャッター制御信号ＣＳＴに応答して左目シャッターＳＴＬを開放して右目シャッターＳＴＲを遮断する（Ｓ１５３及びＳ１５４）。
【００９０】
制御部１１は、第ｎ＋１フレーム期間Ｆｎ＋１のアドレス期間ＡＤＤＲに、表示パネル制御信号ＣＤＩＳを発生して第２左目映像データＲＧＢＬ（２）をデータ駆動回路に供給して、液晶シャッター制御信号ＣＳＴをハイ論理で維持する（Ｓ１５５及びＳ１５６）。次いで、制御部１１は、第ｎ＋１フレーム期間Ｆｎ＋１の開始時点から所定の時間Ｔ経過された時点からバックライト制御信号ＣＢＬをハイ論理に反転させる。データ駆動回路は、第ｎ＋１フレーム期間Ｆｎ＋１のアドレス期間ＡＤＤＲに第２左目映像データＲＧＢＬ（２）のデータ電圧を表示パネル１５のデータラインに供給して表示パネル１５のピクセルに第２左目映像データＲＧＢＬ（２）をアドレッシングする。バックライト駆動回路１３は、ハイ論理のバックライト制御信号ＣＢＬに応答して第ｎ＋１フレーム期間Ｆｎ＋１の開始時点からＴ経過した時点からバックライトユニット１６の光源を点灯させる（Ｓ１５７及びＳ１５８）。液晶シャッター制御信号受信部１７は、第ｎ＋１フレーム期間Ｆｎ＋１の間ハイ論理の液晶シャッター制御信号ＣＳＴに応答して左目シャッターＳＴＬを開放して右目シャッターＳＴＲを遮断する。
【００９１】
制御部１１は、第ｎ＋１フレーム期間Ｆｎ＋１のバーチカルブランク期間ＶＢにバックライト制御信号ＣＢＬをロー論理に反転させた後、第ｎ＋１フレーム期間Ｆｎ＋１のバーチカルブランク期間ＶＢに液晶シャッター制御信号ＣＳＴをロー論理に反転させる。バックライト駆動回路１３は、第ｎ＋１フレーム期間Ｆｎ＋１のバーチカルブランク期間ＶＢにロー論理のバックライト制御信号ＣＢＬに応答してバックライトユニット１６の光源を消灯させる。液晶シャッター制御信号受信部１７は、ロー論理の液晶シャッター制御信号ＣＳＴに応答して第ｎ＋１フレーム期間Ｆｎ＋１のバーチカルブランク期間ＶＢに左目シャッターＳＴＬを遮断し、右目シャッターＳＴＲを開放する（Ｓ１５９及びＳ１６０）。
【００９２】
制御部１１は、第ｎ＋２フレーム期間Ｆｎ＋２のアドレス期間ＡＤＤＲに表示パネル制御信号ＣＤＩＳを発生して第１右目映像データＲＧＢＲ（１）をデータ駆動回路に供給する。そして、制御部１１は、第ｎ＋２フレーム期間Ｆｎ＋２にバックライト制御信号ＣＢＬをロー論理で発生して液晶シャッター制御信号ＣＳＴをロー論理で発生する。データ駆動回路は、第ｎ＋２フレーム期間Ｆｎ＋２のアドレス期間ＡＤＤＲに第１右目映像データＲＧＢＲ（１）のデータ電圧を表示パネル１５のデータラインに供給して表示パネル１５のピクセルに第１右目映像データＲＧＢＲ（１）をアドレッシングする。バックライト駆動回路１３は、第ｎ＋２フレーム期間Ｆｎ＋２の間、ロー論理のバックライト制御信号ＣＢＬに応答して光源を消灯させる。液晶シャッター制御信号受信部１７は、第ｎ＋２フレーム期間Ｆｎ＋２の間、ロー論理の液晶シャッター制御信号ＣＳＴに応答して左目シャッターＳＴＬを遮断して右目シャッターＳＴＲを開放する（Ｓ１６１及びＳ１６２）。
【００９３】
制御部１１は、第ｎ＋３フレーム期間Ｆｎ＋３のアドレス期間ＡＤＤＲに表示パネル制御信号ＣＤＩＳを発生して第２右目映像データＲＧＢＲ（２）をデータ駆動回路に供給する。そして、制御部１１は、第ｎ＋３フレーム期間Ｆｎ＋３の間、液晶シャッター制御信号ＣＳＴをロー論理で維持する。次いで、制御部１１は、第ｎ＋３フレーム期間の開始時点から所定の時間Ｔ経過した時点からバックライト制御信号ＣＢＬをハイ論理に反転させる。データ駆動回路は、第ｎ＋３フレーム期間Ｆｎ＋３のアドレス期間ＡＤＤＲに第２右目映像データＲＧＢＲ（２）のデータ電圧を表示パネル１５のデータラインに供給して表示パネル１５のピクセルに第２右目映像データＲＧＢＲ（２）をアドレッシングする。バックライト駆動回路１３は、ハイ論理のバックライト制御信号ＣＢＬに応答して第ｎ＋３フレーム期間Ｆｎ＋３の開始時点からＴ経過した時点からバックライトユニット１６の光源を点灯させる。液晶シャッター制御信号受信部１７は、第ｎ＋３フレーム期間Ｆｎ＋３間ロー論理の液晶シャッター制御信号ＣＳＴに応答して左目シャッターＳＴＬを遮断して右目シャッターＳＴＲを開放する（Ｓ１６３ないしＳ１６６）。
【００９４】
制御部１１は、第ｎ＋３フレーム期間Ｆｎ＋３のバーチカルブランク期間ＶＢに、バックライト制御信号ＣＢＬをロー論理に反転させ、第ｎ＋３フレーム期間Ｆｎ＋３のバーチカルブランク期間ＶＢに液晶シャッター制御信号ＣＳＴをハイ論理に反転させる。バックライト駆動回路１３は、第ｎ＋３フレーム期間のバーチカルブランク期間ＶＢにロー論理のバックライト制御信号ＣＢＬに応答してバックライトユニット１６の光源を消灯させる。液晶シャッター制御信号受信部１７は、第ｎ＋３フレーム期間Ｆｎ＋３のバーチカルブランク期間ＶＢにハイ論理の液晶シャッター制御信号ＣＳＴに応答して左目シャッターＳＴＬを開放して右目シャッターＳＴＲを遮断する（Ｓ１６７及びＳ１６８）。
【００９５】
第２左目映像データＲＧＢＬ（２）は、第１左目映像データＲＧＢＬ（１）と同一であり、第２右目映像データＲＧＢＲ（２）は第１右目映像データＲＧＢＲ（１）と同一である。
【００９６】
制御部１１は、第５の実施の形態において、図１８のように第１左目映像データＲＧＢＬ（１）がアドレッシングされるフレーム期間Ｆｎのバーチカルブランク期間ＶＢを第２左目映像データＲＧＢＬ（２）がアドレッシングされるフレーム期間（Ｆｎ＋１）のバーチカルブランク期間ＶＢより長く制御する。また、制御部１１は、第１右目映像データＲＧＢＲ（１）がアドレッシングされるフレーム期間（Ｆｎ＋２）のバーチカルブランク期間ＶＢを第２右目映像データＲＧＢＲ（２）がアドレッシングされるフレーム期間（Ｆｎ＋３）のバーチカルブランク期間ＶＢより長く制御する。この制御方法は、過駆動補償(Over Driving Compensation)効果と類似の効果を得ることができる。過駆動補償方法はデータの変化の可否に基づいて式（１）で｜Ｖ2a−Ｖ2F｜を大きくして液晶の応答時間を早くする。第１左目映像データＲＧＢＬ（１）がアドレッシングされるフレーム期間Ｆｎのバーチカルブランク期間ＶＢを拡張すれば、液晶セルの輝度が目標輝度に到逹するまで現在フレームが維持されるのでデータ電圧を変調しないとしても過駆動補償効果と類似の効果を得ることができる。
【００９７】
前述の実施の形態において、表示素子として液晶表示素子を中心に説明したが、本発明の表示素子は液晶表示素子だけではなく電界放出表示装置(Field Emission Display)、プラズマディスプレーパネル(Plasma Display Panel)、及び無機電界発光素子と有機発光ダイオード素子(Organic Light Emitting Diode、ＯＬＥＤ)を含む電界発光素子(Electroluminescence Device、ＥL)などの平板表示装置に具現されることができる。
【００９８】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
0005483432.tif 000004
【図２】
0005483432.tif 000005
【図３】
0005483432.tif 000006
【図４】
0005483432.tif 000007
【図５】
0005483432.tif 000008
【図６】
0005483432.tif 000009
【図７】
0005483432.tif 000010
【図８】
0005483432.tif 000011
【図９】
0005483432.tif 000012
【図１０】
0005483432.tif 000013
【図１１Ａ】
0005483432.tif 000014
【図１１Ｂ】
0005483432.tif 000015
【図１１Ｃ】
0005483432.tif 000016
【図１２】
0005483432.tif 000017
【図１３】
0005483432.tif 000018
【図１４】
0005483432.tif 000019
【図１５】
0005483432.tif 000020
【図１６】
0005483432.tif 000021
【図１７】
0005483432.tif 000022
【図１８】
0005483432.tif 000023